(57)【特許請求の範囲】
【請求項１】
パチンコ機の動作状態を制御する主基板と、
ゲーム音楽を再生する音楽再生手段と、
後方に膨出した略箱状であって遊技盤の裏側に配設される電気的機器の後部を覆うカバー体とを備えたパチンコ機において、
前記音楽再生手段を制御する音楽制御基板を備え、
前記音楽制御基板は、前記主基板から分離して設けられ、
前記カバー体の本体背面部において前記電気的機器に対向する部分には開口部が形成され、
前記カバー体の本体には、蓋部材が、前記開口部を後側から覆うように着脱可能に取り付けられており、
前記音楽制御基板は保護カバーの内側面に固定され、
前記保護カバーは前記蓋部材の内側面に固定されており、
前記音楽制御基板は、前記蓋部材と前記保護カバーとで挟まれて配置されていると共に、前記蓋部材を前記本体から取り外すことで、該蓋部材及び前記保護カバーと共に前記本体から取り外されることを特徴とするパチンコ機。
【発明の詳細な説明】
【０００１】
【発明の属する技術分野】
本発明は、パチンコ機の動作状態を制御する主基板が設けられるパチンコ機に関し、特に、ゲーム音楽の音楽再生手段を制御する音楽制御基板を独立して設け、この音楽制御基板を主基板から分離して、パチンコ機の裏側に配設されるカバー体の内側等に配設することにより、主基板の小型化を図ることが可能となると共に、パチンコ機の裏側方向の寸法を増やすことなく音楽制御基板等を取り付けることが可能なパチンコ機に関するものである。また、ゲーム音楽等の再生に係る制御回路を主基板から分離して設けることにより、主基板及び音楽制御基板の保守・点検や補修を容易に行うことが可能なパチンコ機に関するものである。
【０００２】
【従来の技術】
従来より、パチンコ球が始動入賞口に入賞すると、遊技領域のほぼ中央に設けられたＣＲＴ（CathodeRay Tube）やＬＣＤ（Liquid Crystal Display）等を用いた種々の図柄表示装置に表示されている変動図柄が変動を開始し、一定時間経過した後に表示された図柄が一定確率で揃うと、大当りとして大入賞口が所定回数続けて開くとともに図柄表示装置に大当り映像が表示されるパチンコ機（第一種パチンコ機）が種々知られている。
【０００３】
このようなパチンコ機の全体構成について図１３に基づいて説明する。図１３は従来のパチンコ機の全体構成の一例を示す背面図である。
このパチンコ機１０１は、所定量のパチンコ球を賞球として払い出すものであり、木製の外枠１０２に対して木製の内枠１０３がヒンジ部材等を介して開閉自在に取り付けられている。また、この内枠１０３のほぼ中央部には遊技盤が着脱可能なように鉄板等の金属製の機構盤１０４が取り付けられている。そして、この機構盤１０４の片側には合成樹脂製の機構セット盤１０５が開閉自在に蝶番により取り付けられている。
パチンコ機１０１の裏側上段には、上方に開口した賞球タンク１０６が機構セット盤１０５に固定されている。賞球タンク１０６の直上には補給装置１０７が配設され、吐出部１０７Ａが垂直に降りている。賞球タンク１０６は、傾斜した底面に連通孔（不図示）が形成され、その連通孔の下方にはパチンコ球を２列に整列流出し得る傾斜したタンクレール１０８が取付けられている。
【０００４】
また、賞球ケース１１２へパチンコ球を案内する賞球案内部１０９内には、タンクレール１０８の下流側のパチンコ球を送り出す２列の賞球通路１１０が形成されている。
また、賞球ケース１１２には、各賞球通路１１０を通過するパチンコ球の数を確認する確認スイッチ、パチンコ球の送り出しを調節する払い出しソレノイド等（いずれも不図示）が内装されている。そして、これら賞球案内部１０９、賞球ケース１１２、確認スイッチ、及び払い出しソレノイド等により賞球払い出し手段が構成されている。
そして、賞球ケース１１２の下流側には排出部が形成され、排出路１１３及び下部受け皿満タンスイッチが内装された排出路１１４が下端部下方に開口して形成されている。また、この開口部の下方には、上皿から溢れた賞球を受けて下皿に案内する下皿受け部を構成する下部受皿ボックス１１５がボルトにより内枠１０３の裏側に取り付けられている。
【０００５】
また、機構セット盤１０５上には、基板ボックス内に配置される主基板１１６が、遊技盤裏面を覆うセンタカバー１１７に装着された状態で固定されている。この主基板１１６には、パチンコ機１０１の遊技動作やゲーム音楽の再生等を制御する制御回路が構成されている。そして、その制御回路には、制御動作を所定の手順で実行することができるＣＰＵ、その動作プログラムデータを格納するＲＯＭ、データの書き込み及び読み出しを行うＲＡＭ、又は入出力回路やクロック発生器等を含むマイクロコンピュータが装着されている。
また、主基板１１６の下側には、コントロール基板が装着されたコントロールボックス１１８が取り付けられている。このコントロール基板は、賞球払出手段等の駆動制御を行うための制御回路を構成している。さらに、機構セット盤１０５の上方角部（図１３中、右上角部）には、中継基板１２０が設けられている。この中継基板１２０は、パチンコ機１０１とホールコンピュータをつなぐ基板である。
【０００６】
【発明が解決しようとする課題】
近年、パチンコゲームの表示手段を構成するＬＣＤ等の高精細度化、大型化等に伴い、リーチアクションや大当り等の表示画像内容やゲーム音楽が高度化、複雑化して、これらの表示制御や音楽再生制御の制御回路規模が大型化している。  しかしながら、上述した従来のパチンコ機１０１では、前記表示制御や音楽再生制御の制御回路は、主基板１１６上に形成されているが、図１３に示すように、主基板１１６の大きさは、ほぼ限界の大きさに達してきている。このため、表示制御や音楽再生制御の更なる高度化、複雑化に対応するために、これらの制御の制御回路規模を大型化して、主基板１１６を更に大型化するには、パチンコ機の裏側における主基板１１６の収容スペースの確保が困難であるという問題がある。また、各制御回路規模が複雑化、大型化してきているため、主基板１１６上に形成される制御回路の保守・点検が複雑化し、回路点検等の作業性が低下するという問題がある。
【０００７】
そこで、本発明は、上述した問題点を解決するためになされたものであり、主基板の「大当り」の決定に係る制御回路以外、特に、ゲーム音楽や音声等の再生に係る制御回路部分を主基板から分離し、この制御回路部分を音楽制御基板として別個独立に設けてパチンコ機の裏側に配設されるカバー体の内側等に配設することにより、主基板の小型化を図ることが可能となると共に、パチンコ機の裏側方向の寸法を増やすことなく該音楽制御基板を取り付けることが可能なパチンコ機を提供することを目的とする。また、ゲーム音楽の再生に係る制御回路を主基板から分離して音楽制御基板として別個独立に設けることにより、主基板及び音楽制御基板の保守・点検や補修を容易に行うことが可能なパチンコ機を提供することを目的とする。
【０００８】
【課題を解決するための手段】
前記目的を達成するため請求項１に係るパチンコ機は、パチンコ機の動作状態を制御する主基板と、ゲーム音楽を再生する音楽再生手段と、後方に膨出した略箱状であって遊技盤の裏側に配設される電気的機器の後部を覆うカバー体とを備えたパチンコ機において、前記音楽再生手段を制御する音楽制御基板を備え、前記音楽制御基板は、前記主基板から分離して設けられ、前記カバー体の本体背面部において前記電気的機器に対向する部分には開口部が形成され、前記カバー体の本体には、蓋部材が、前記開口部を後側から覆うように着脱可能に取り付けられており、前記音楽制御基板は保護カバーの内側面に固定され、前記保護カバーは前記蓋部材の内側面に固定されており、前記音楽制御基板は、前記蓋部材と前記保護カバーとで挟まれて配置されていると共に、前記蓋部材を前記本体から取り外すことで、該蓋部材及び前記保護カバーと共に前記本体から取り外されることを特徴とする。
【０００９】
このような特徴を有する請求項１に係るパチンコ機においては、ゲーム音楽を再生する音楽再生手段の制御に係る音楽制御基板が、パチンコ機の動作状態を制御する主基板から分離して別個に設けられる。また、後方に膨出した略箱状であって遊技盤の裏側に配設される電気的機器の後部を覆うカバー体の本体背面に開口部が形成され、この開口部を後側から覆うように蓋部材が着脱可能に取り付けられている。また、この蓋部材の内側には、保護カバーが固定されると共に、この保護カバーの内側には、音楽制御基板が固定されているため、音楽制御基板は、蓋部材と保護カバーとで挟まれて配置される。そして、蓋部材を本体から取り外すことで、音楽制御基板は、該蓋部材及び保護カバーと共に本体から取り外される。
これにより、ゲーム音楽や音声の再生に係る音楽制御基板を主基板から分離し、別個独立に設けてパチンコ機の裏側に配設されるカバー体の本体背面に形成された開口部を覆う蓋部材と保護カバーの内側に配設することにより、主基板の小型化を図ることが可能となると共に、パチンコ機の裏側方向の寸法を増やすことなく該音楽制御基板を取り付けることが可能となる。また、ゲーム音楽の再生に係る音楽制御基板を主基板から分離して別個独立に設けることにより、主基板及び音楽制御基板の保守・点検や補修を容易に行うことが可能となる。また、該カバー体の内側に前記音楽制御基板を収納するスペースを容易に確保することが可能となると共に、この蓋部材を介して主基板との接続ケーブルを容易に接続することが可能となり、組立作業性の向上を図ることが可能となる。また、この蓋部材をカバー体の本体から取り外して、前記音楽制御基板の保守・点検を行えるため、音楽制御基板の保守・点検や補修を容易に行うことが可能となり、点検・補修の作業性の向上を図ることが可能となる。また、音楽制御基板は、該カバー体の本体背面に形成された開口部を覆う蓋部材と保護カバーの内側に取り付けられるため、パチンコ機の裏側方向の寸法を増やすことなく音楽制御基板を収納するスペースを容易に確保することが可能となると共に、パチンコ機裏側の上方に位置する賞球タンクからこぼれたパチンコ球が落下しても、このカバー体により音楽制御基板に直接当たるのを防ぐことが可能となる。
【００１０】
【００１１】
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
【００３５】
【００３６】
【発明の実施の形態】
以下、本発明に係るパチンコ機について具体化した第１乃至第５実施の形態を図面を参照して詳細に説明する。先ず、第１実施形態に係るパチンコ機の全体構成について図１に基づいて説明する。図１は第１実施形態に係るパチンコ機の全体を示した背面図である。
このパチンコ機１は、所定量のパチンコ球を賞球として払い出すものであり、木製の外枠２に対して木製の内枠３がヒンジ部材等を介して開閉自在に取り付けられている。また、この内枠３のほぼ中央部には遊技盤が着脱可能なように鉄板等の金属製の機構盤４が取り付けられている。そして、この機構盤４の片側には合成樹脂製の機構セット盤５が開閉自在に蝶番により取り付けられている。外枠２及び内枠３は、現在では樹脂製のものが主流となっているが、本実施の形態では木製のものとしている。
パチンコ機１の裏側上部には、上方に開口した賞球タンク６が機構セット盤５に固定されている。賞球タンク６の直上には補給装置７が配設され、吐出部７Ａが垂直に降りている。賞球タンク６は、傾斜した底面に連通孔（不図示）が形成され、その連通孔の下方にはパチンコ球を２列に整列流出し得る傾斜したタンクレール８が取付けられている。
【００３７】
また、賞球ケース１２へパチンコ球を案内する賞球案内部９内には、タンクレール８の下流側のパチンコ球を案内する２列の賞球通路８が形成されている。
また、賞球ケース１２には、各賞球通路８を通過するパチンコ球の数を確認する確認スイッチ、パチンコ球の送り出しを調節する払い出しソレノイド等（いずれも不図示）が内装されている。そして、これら賞球タンク６、タンクレール８、賞球案内部９、賞球ケース１２、確認スイッチ、及び払い出しソレノイド等により賞球払出システムが構成されている。
そして、賞球ケース１２の下流側には排出部が形成され、排出路１３及び下部受け皿満タンスイッチが内装された排出路１４が下端部下方に開口して形成されている。また、この開口部の下方には、上皿から溢れた賞球を受けて下皿に案内する下皿受け部を構成する下部受皿ボックス１５がボルトにより内枠３の裏側に取り付けられている。
【００３８】
また、機構セット盤５上には、基板ボックス１６Ａ内に配置される主基板１６が、遊技盤裏面を覆う透明なＡＢＳ等の樹脂製のセンターカバー１７に装着された状態で固定されている。この主基板１６には、パチンコ機１の遊技動作などを制御する制御回路が構成されている。そして、その制御回路は、制御動作を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータが装着されている。
【００３９】
また、主基板１６の下側には、コントロール基板が装着されたコントロールボックス１８が取り付けられている。このコントロール基板は、賞球払出等の制御を行うための制御回路を構成している。
【００４０】
また、センターカバー１７の内側には、後述の様に音楽制御基板２１が取り付けられている（図２参照）。この音楽制御基板２１は、機構盤４の前側で上皿に覆われているスピーカ２２を介してゲーム音楽や所定の音声による効果音を出力制御する制御回路及びアンプ回路等が構成されている。そして、この制御回路には、主基板１６からの制御信号に従って制御動作を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータが装着されている。
例えば、主基板１６から音声出力命令を受けた場合には、この音声制御基板２１の制御回路は、所定の音声として、「ぼちぼちでんなー」とか「そろそろ大当りでっせー」等の音声を変動図柄の表示に合わせてスピーカ２２を介して出力する。これにより、遊技者のパチンコゲームへの興味を引きつけ、興趣を盛り上げる効果を奏することができる。
【００４１】
さらに、機構セット盤５の上方角部（図１中、右上角部）には、中継基板２０が設けられている。この中継基板２０は、パチンコ機１とホールコンピュータをつなぐ基板である。
【００４２】
次に、音楽制御基板２１のセンターカバー１７内への取り付けについて図２に基づいて説明する。図２は第１実施形態に係るパチンコ機の音楽制御基板２１のセンターカバー１７内への取り付け状態を示す要部の側断面図である。
図２に示すように、センターカバー１７は、前面部（図２中、左側面部）が開放された略箱状体で、その背面部のほぼ中央部の特別図柄表示装置に対向する部分が裏側方向に膨出している。そして、この膨出している部分の上下端縁部には各々２箇所ずつネジ孔が形成された所定高さの保護カバー取付ポスト１７Ａが垂設されている（図２中では２箇所が示されている。）。
【００４３】
また、ポリカーボネート樹脂等の合成樹脂により形成された透明な保護カバー２５は、後面部（図２中、右側面部）が開放された略箱状体で、その前面部（図２中、左側面部）の上端縁部及び下端縁部は、所定長さ外側に突き出して各フランジ部２８、２８が形成されている。また、この各フランジ部２８、２８の、各保護カバー取付ポスト１７Ａに対向する位置には各々ビス孔が形成されている。また、保護カバー２５の前面部の内側面（図２中、右側面）には、その４箇所にネジ孔が形成される各基板取付ポスト２６（図２中では２箇所が示されている。）が垂設されている。また、この保護カバー２５の側壁部２９は、該保護カバー２５の各フランジ部２８、２８がビス３０で各保護カバー取付ポスト１７Ａにネジ止めされた場合には、この側壁部２９の開放側端面がセンターカバー１７の背面部の内側面に沿って当接するように形成されている。
【００４４】
そして、音楽制御基板２１のセンターカバー１７への取り付けは、先ず、この音楽制御基板２１をビス３１により保護カバー２５の各基板取付ポスト２６にネジ止めする。続いて、この保護カバー２５をビス３０によりセンターカバー１７の各保護カバー取付ポスト１７Ａにネジ止めして固定する。これにより、音楽制御基板２１は、センターカバー１７の背面部の内側に固定される。
【００４５】
ここで、スピーカ２２及び音楽制御基板２１のアンプ回路等が音楽再生手段を構成する。また、センターカバー１７がカバー体として機能する。また、賞球ケース１２内に内装される各賞球通路８を通過するパチンコ球の数を確認する確認スイッチ、パチンコ球の送り出しを調節する払い出しソレノイド等が賞球払い出し手段を構成する。
【００４６】
以上詳細に説明した通り第１実施形態に係るパチンコ機では、音楽制御基板２１は、保護カバー２５の内側に取り付けられた後、センターカバー１７の背面部の内側面に取り付けられる。
【００４７】
これにより、ゲーム音楽や音声の再生に係る制御回路部分を主基板１６から分離し、この制御回路部分が設けられる音楽制御基板２１を保護カバー２５を介してパチンコ機の裏側に配設されるセンターカバー１７の背面部の内側面に取り付けることにより、主基板１６の小型化を図ることが可能となると共に、パチンコ機１の裏側方向の寸法を増やすことなく該音楽制御基板２１を取り付けることが可能となる。また、ゲーム音楽等の再生に係る制御回路部分を主基板１６から分離して音楽制御基板２１として別個独立に設けることにより、主基板１６及び音楽制御基板２１の保守・点検や補修を容易に行うことが可能となる。
また、この音楽制御基板２１の取り付け箇所は、センターカバー１７の背面部分の内側面であるため、このセンターカバー１７の内側に前記音楽制御基板２１を収納するスペースを容易に確保することが可能となると共に、このセンターカバー１７の背面部分を介して主基板１６との接続ケーブルを容易に接続することが可能となり、組立作業性の向上を図ることが可能となる。
また、音楽制御基板２１は、保護カバー２５で覆われているため、落下したパチンコ球等が音楽制御基板２１に直接当たるのを防止することが可能になると共に、センターカバー１７内の配線等から保護することが可能となる。
更に、センターカバー１７及び保護カバー２５が透明な樹脂製であるため、センターカバー１７内に配置されるこの音楽制御基板２１の外観検査を外側から容易に行うことができる。
【００４８】
次に、第２実施形態に係るパチンコ機について図３に基づいて説明する。図３は第２実施形態に係るパチンコ機の音楽制御基板２１のセンターカバー内への取り付け状態を示す要部の側断面図である。
第２実施形態に係るパチンコ機の構成は、第１実施形態に係るパチンコ機１とほぼ同じ構成である。但し、図３に示すように、上記センターカバー１７及び保護カバー２５が、透明なＡＢＳ等の樹脂製のセンターカバー３５、及びポリカーボネート樹脂等の合成樹脂により形成された透明な保護ケース３６から構成されている。
【００４９】
図３に示すように、センターカバー３５は、第１実施形態に係るセンターカバー１７とほぼ同じ構成であるが、その背面部の内側面には、その４箇所にネジ孔が形成されたケース取付ポスト３７が垂設されている（図３中では２箇所が示されている。）。
【００５０】
また、保護ケース３６は、カバー３８とケース本体３９とから構成されている。このケース本体３９は、前面部（図３中、左側面部）が開放された略箱状体で、その後面部（図３中、右側面部）の上端縁部及び下端縁部は、所定長さ外側に突き出して各フランジ部４０、４０が形成されている。そして、この各フランジ部４０、４０の、各ケース取付ポスト３７に対向する位置には各々ビス孔が形成されている。
また、ケース本体３９の上側の側面には、２箇所に各々係止孔４１が設けられている（図３中では１箇所が示されている。）。この各係止孔４１には、後述するようにカバー３８の上側端縁部に設けられる各係止突起４３が弾性的に係合されるものである。
更に、ケース本体３９の後面部の内側の下方には、２箇所に各々ネジ孔が形成されたカバー取付ポスト４４がケース本体３９の前端縁部の高さまで立設されている（図３中では１箇所が示されている。）。
【００５１】
一方、このカバー３８は、後面部（図３中、右側面部）が開放された略箱状体で、前面部の内側面（図３中、右側面）には、その４箇所にネジ孔が形成される各基板取付ポスト４５（図３中では２箇所が示されている。）が垂設されている。
また、カバー３８の上側側面の内側端縁部には、ケース本体３９の各係止孔４１に対向する位置に所定長さの各係止片４２が設けられ、この各係止片４２の端縁部には各係止突起４３が形成されている。
更に、カバー３８の前面部の下方の各カバー取付ポスト４４に対向する位置には、カバー３８の後端縁部の高さまで突出して、カバー３８の前面側からビスが挿入される凹部４６が設けられている（図３中では１箇所が示されている。）。また、この凹部４６の底面には、ビスが嵌挿される貫通孔が形成されている。
【００５２】
そして、音楽制御基板２１の保護ケース３６内への取り付けは、先ず、この音楽制御基板２１を各ビス４７によりカバー３８の各基板取付ポスト４５にネジ止めする。続いて、カバー３８の上側側面の端縁部をケース本体３９の上側側面の前端縁部に当接させつつ、カバー３８の各係止片４２の係止突起４３をケース本体３９の各係止孔４１に係合させる。そして、カバー３８の各凹部４６をカバー本体３９の各カバー取付ポスト４４に対向させて、各ビス４８によりネジ止めする。これにより、音楽制御基板２１は保護ケース３６内に固定される。
次に、ケース本体３９の各フランジ部４０に形成されるビス孔をセンターカバー３５の各ケース取付ポスト３７に当接し、各ビス４９によりネジ止めする。これにより、保護ケース３６がセンターカバー３５の背面部の内側に固定される。
【００５３】
ここで、センターカバー３５がカバー体として機能する。
【００５４】
以上詳細に説明した通り第２実施形態に係るパチンコ機１では、音楽制御基板２１は、保護ケース３６の内側に取り付けられた後、センターカバー３５の背面部の内側面に取り付けられる。
【００５５】
これにより、ゲーム音楽や音声の再生に係る制御回路部分を主基板１６から分離し、この制御回路部分が設けられる音楽制御基板２１をパチンコ機１の裏側に配設されるセンターカバー３５の背面部の内側面に取り付けることにより、主基板１６の小型化を図ることが可能となると共に、パチンコ機１の裏側方向の寸法を増やすことなく該音楽制御基板２１を取り付けることが可能となる。また、ゲーム音楽等の再生に係る制御回路部分を主基板１６から分離して音楽制御基板２１として別個独立に設けることにより、主基板１６及び音楽制御基板２１の保守・点検や補修を容易に行うことが可能となる。
また、この音楽制御基板２１の取り付け箇所は、センターカバー３５の背面部分の内側面に配設される保護ケース３６内であるため、このセンターカバー３５の内側に前記保護ケース３６を収納するスペースを容易に確保することが可能となると共に、このセンターカバー３５の背面部分を介して主基板１６との接続ケーブルを容易に接続することが可能となり、組立作業性の向上を図ることが可能となる。
また、音楽制御基板２１は、保護ケース３６内に収納されているため、落下したパチンコ球等が音楽制御基板２１に直接当たるのを防止することが可能になると共に、搬送作業や取り付け作業等の作業性向上を図ることが可能となる。
更に、センターカバー３５及び保護ケース３６が透明な樹脂製であるため、センターカバー３５の背面部に配置される保護ケース３６内の音楽制御基板２１の外観検査を外側から容易に行うことができる。
【００５６】
次に、第３実施形態に係るパチンコ機について図４乃至図６に基づいて説明する。先ず、第３実施形態に係るパチンコ機の全体構成について図４に基づいて説明する。図４は第３実施形態に係るパチンコ機の全体を示した背面図である。
第３実施形態に係るパチンコ機５０は、第１実施形態に係るパチンコ機１とほぼ同じ構成である。但し、図４に示すように、上記センターカバー１７及び保護カバー２５が、透明なＡＢＳ等の樹脂製のセンターカバー５１、及びポリカーボネート樹脂等の合成樹脂により形成された透明な保護ケース５５（図５参照）から構成されている。また、後述のように音楽制御基板５２が収納される保護ケース５５は、センターカバー５１の右側部分の内側で、入賞球集合部材５４（図５、図６参照）の背面に取り付けられている。また、センターカバー５１は、第１実施形態に係るセンターカバー１７とほぼ同じ構成であるが、その背面部の内側には保護カバー取付ポスト１７Ａが設けられていない。
【００５７】
この遊技盤の裏面に設けられる入賞球集合部材５４及び音楽制御基板５２が収納される保護ケース５５の構成について図５及び図６に基づいて説明する。図５は第３実施形態に係るパチンコ機５１の入賞球集合部材５４及び音楽制御基板５２が収納される保護ケース５５等が取り付けられた遊技盤の背面図である。図６は第３実施形態に係るパチンコ機５１の音楽制御基板５２が収納される保護ケース５５を含む要部側断面図である。
図５に示すように、機構盤４に取り付けられる遊技盤５３の構成は、ほぼ中央部にＬＣＤ等により構成される特別図柄表示装置が遊技盤５３の前面側から取り付けられる開口部５７が形成されている。そして、開口部５７の上部には、切欠部が形成され、この特別図柄表示装置と協動して入賞した入賞球を遊技盤５３の裏側に案内する入賞球案内孔６１を構成している。また、この開口部５７の左右上方には、ランプ付風車が前面側から挿着される風車取付孔６２、６３が形成されている。また、開口部５７の左右に設けられる各入賞口に対応する位置には、断面が略梨形の入賞球案内孔６４、６４（図５中では１箇所が示されている。）が形成され、各入賞口に入賞した入賞球を遊技盤５３の裏側まで案内している。また、開口部５７の直下には、断面が略縦長楕円形の入賞球案内孔６５が形成され、入賞した入賞球を遊技盤５３の裏側まで案内している。また、この入賞球案内孔６５の下側には、特別電動役物が前面側から装着される取付孔６６が形成されている。更に、この取付孔６６の両側上方の位置には、断面が略梨形の入賞球案内孔６７、６７が形成され、入賞した入賞球を遊技盤５３の裏側まで案内している。
【００５８】
また、入賞球集合部材５４は、各入賞球案内孔６１、６４、６４、６５、６７、６７の裏側出口から流下してくる入賞球を回収するための部材であり、前面が開放したＡＢＳ等の樹脂製の箱状体からなり、前面開放部が遊技盤５３の裏面にネジ止め等により取り付けられている。該入賞球集合部材５４は、図５に示すように、特別図柄表示装置の後方周辺部を覆う主要集合部材５４Ａと、この主要集合部材５４Ａの下方に連接して特別図柄表示装置の下側の後方周辺部を覆う補助集合部材５４Ｂとから構成されている。
【００５９】
主要集合部材５４Ａは、ほぼ中央部に下側から上側に略コの字型にくぼむ映像表示装置挿入凹部が設けられている。そして、この映像表示装置挿入凹部と補助集合部材５４Ｂの上端面とにより映像表示装置５６が後方より挿入される窓部が構成される。また、映像表示装置挿入凹部の左右外側には、後端部にネジ孔が形成された取付部５６Ａ、５６Ｂ、５６Ｃ、５６Ｄが裏側に突き出して設けられ、窓部の後方から挿入された映像表示装置５６が該取付部５６Ａ、５６Ｂ、５６Ｃ、５６Ｄにネジ止めされる。
【００６０】
また、各入賞球案内孔６４、６４の出口の周縁部に当接するリブが主要集合部材５４Ａの底面から略四角形状に立設され、各リブの下側の側面には、入賞球が下側の補助集合部材５４Ｂに流下するように切欠部が設けられている。また、左側のリブの左下側には、入賞球案内孔６１から流下した入賞球が下側の補助集合部材５４Ｂに流下するように切欠部が設けられている。
【００６１】
また、補助集合部材５４Ｂは、ほぼ中央部に下側から上側に略コの字型にくぼみ、特別電動役物が嵌合される特別電動役物嵌合凹部が設けられている。また、各入賞球案内孔６７、６７の出口の周縁部に当接するリブが補助集合部材５４Ｂの底面から略四角形状に立設され、各リブの下側の側面には、入賞球が下側に流下するように切欠部が設けられている。また、主要集合部材５４Ａの各切欠部に対向する上側面は、流下してくる入賞球が通過するように切り欠かれている。そして、各切欠部に対向する位置には補助集合部材５４Ｂの底面から立設され、各リブと協動して主要集合部材５４Ａから流下する入賞球を案内する流路を形成している。また、入賞球案内孔６５の出口の周縁部に当接するリブが補助集合部材５４Ｂの底面から略四角形状に立設され、このリブの下側の側面には、入賞球が下側に流下するように切欠部が設けられている。そして、補助集合部材５４Ｂの下側面には、下方に設けられた入賞球案内樋（不図示）に入賞球を落下させるための切欠部が設けられている。
【００６２】
そして、映像表示装置５６の右側には、音楽制御基板５２が収納される保護ケース５５が、その上下端縁部を主要集合部材５４Ａと補助集合部材５４Ｂとにネジ止めによりに固定されている。
【００６３】
また、図６に示すように、この保護ケース５５は、カバー５８とケース本体５９とから構成されている。このケース本体５９は、後面部（図６中、右側面部）が開放された略箱状体で、その前面部（図６中、左側面部）の上端縁部及び下端縁部は、所定長さ外側に突き出して各フランジ部６０、６０が形成されている。また、各主要集合部材５４と補助集合部材５４Ｂには、各々２箇所ずつにネジ孔が形成された保護ケース取付ポスト７１、７１、７１、７１（図６中では、２箇所が示されている。）が垂設されている。そして、前記各フランジ部６０、６０の各保護ケース取付ポスト７１に対向する位置には各々ビス孔が形成されている。
また、ケース本体５９の上下の各側面の端縁部外側には、各々２箇所に係止突起７２（図６中では２箇所が示されている。）が設けられている。この各係止突起７２には、後述するようにカバー５８の上下の各側面の端縁部外側に設けられる各係止片７３が弾性的に係合されるものである。
更に、ケース本体５９の前面部の内側面（図６中、右側面）には、その４箇所にネジ孔が形成される各基板取付ポスト７４（図６中では２箇所が示されている。）がケース本体５９の前端縁部の高さまで立設されている。
【００６４】
一方、カバー５８は、前面部（図６中、左側面部）が開放された略箱状体で、上下の各側面の端縁部外側には、各々２箇所にこの端縁部より所定長さ突き出ている各係止片７３（図６中では２箇所が示されている。）が設けられている。そして、この各係止片７３の前端縁部には貫通孔が形成されている。また、カバー５８の下側の側面に設けられる各係止片７３には、指を引っかける引掛け部７５が形成されている。
【００６５】
そして、音楽制御基板５２の保護ケース５５内への取り付けは、先ず、この音楽制御基板５２を各ビス７６によりケース本体５９の各基板取付ポスト７４にネジ止めする。続いて、カバー５８の上下側面に設けられる各係止片７３をケース本体５９の各係止突起７２に対向させて、このカバー５８をケース本体５９側に押圧することにより、ケース本体５９の各係止突起７２が、カバー５８の各係止片７３に弾性的に係合されると共に、カバー５８の開放側端面とケース本体５９の開放側端面とが当接される。これにより、カバー５８とケース本体５９との結合が行われ、カバー５８はケース本体５９に固設される。尚、引掛け部７５に指を掛けて、下側に曲げることにより下側の係止片７３が下側の係止突起７２から離合され、カバー５８とケース本体５９との結合が解除される。
【００６６】
次に、ケース本体５９の各フランジ部６０、６０に形成されるビス孔を主要集合部材５４Ａ及び補助集合部材５４Ｂの各保護ケース取付ポスト７１に当接し、各ビス７７によりネジ止めする。これにより、保護ケース５５が集合部材５４に固設される。
その後、この遊技盤５３は機構盤４にセットされ、裏側からセンターカバー５１が取り付けられる。これにより、保護ケース５５がセンターカバー５１の背面部の内側に固定される。
【００６７】
ここで、スピーカ２２及び音楽制御基板５２のアンプ回路等が音楽再生手段を構成する。また、センターカバー５１がカバー体として機能する。
【００６８】
以上詳細に説明した通り第３実施形態に係るパチンコ機５０では、音楽制御基板５２は、保護ケース５５の内側に取り付けられた後、この保護ケース５５は遊技盤５３の裏面に配設される入賞球集合部材５４の背面に取り付けられる。そして、この遊技盤５３は機構盤４にセットされ、裏側からセンターカバー５１が取り付けられる。
【００６９】
これにより、ゲーム音楽や音声の再生に係る制御回路部分を主基板１６から分離し、この制御回路部分が設けられる音楽制御基板５２を遊技盤５３の裏側に配設される入賞球集合部材５４の背面部に保護ケース５５内に収納して取り付けることにより、主基板１６の小型化を図ることが可能となると共に、パチンコ機５０の裏側方向の寸法を増やすことなく該音楽制御基板５２を取り付けることが可能となる。また、ゲーム音楽等の再生に係る制御回路部分を主基板１６から分離して音楽制御基板５２として別個独立に設けることにより、主基板１６及び音楽制御基板５２の保守・点検や補修を容易に行うことが可能となる。
また、この音楽制御基板５２が収納される保護ケース５５の取り付け箇所は、センターカバー５１の背面部分の内側面に配設される入賞球集合部材５４の背面部であるため、このセンターカバー５１の内側に前記保護ケース５５を収納するスペースを容易に確保することが可能となると共に、このセンターカバー５１の背面部分を介して主基板１６との接続ケーブルを容易に接続することが可能となり、組立作業性の向上を図ることが可能となる。
また、音楽制御基板５２は、保護ケース５５内に収納されているため、落下したパチンコ球等が音楽制御基板５２に直接当たるのを防止することが可能になると共に、搬送作業や取り付け作業等の作業性向上を図ることが可能となる。
更に、センターカバー５１及び保護ケース５５が透明な樹脂製であるため、入賞球集合部材５４の背面部に配置される保護ケース５５内の音楽制御基板５２の外観検査を外側から容易に行うことができる。
【００７０】
次に、第４実施形態に係るパチンコ機について図７及び図８に基づいて説明する。先ず、第４実施形態に係るパチンコ機の全体構成について図７に基づいて説明する。図７は第４実施形態に係るパチンコ機の全体を示した背面図である。
第４実施形態に係るパチンコ機８１は、第１実施形態に係るパチンコ機１とほぼ同じ構成である。但し、図７に示すように、第１実施形態に係るセンターカバー１７（図１参照）が、透明なＡＢＳ等の樹脂製のセンターカバー８２と、透明なＡＢＳ等の樹脂製で、このセンターカバー８２の背面部のほぼ中央に形成される開口部８６（図８参照）を閉塞する着脱可能な蓋部材８３とから構成されている。また、第１実施形態に係る保護カバー２５（図２参照）が、ポリカーボネート樹脂等の合成樹脂により形成された透明な保護カバー８５（図８参照）から構成されている。また、後述のように音楽制御基板８４はこの保護カバー８５に取り付けられた後、蓋部材８３の内側に取り付けられている（図８参照）。
【００７１】
次に、音楽制御基板８４のセンターカバー８２内への取り付けについて図８に基づいて説明する。図８は第４実施形態に係るパチンコ機の音楽制御基板８４のセンターカバー８２内への取り付け状態を示す要部の側断面図である。
図８に示すように、センターカバー８２は、前面部（図８中、左側面部）が開放された略箱状体で、その背面部のほぼ中央部の特別図柄表示装置に対向する部分に開口部８６が形成されている。また、この開口部８６の上側端縁部のほぼ中央位置には、センターカバー８２の後側方向に突き出す弾性係止片８７が設けられている。そして、この弾性係止片８７の後端にはセンターカバー８２の下側方向に突出する係止突起８７Ａが形成されている。
また、開口部８６の下側部分はセンターカバー８２の後側方向に所定深さ膨出している。また、開口部８６の下側端縁部は下側に所定長さ延出されるフランジ部が形成され、そのフランジ部のほぼ中央位置に切欠部８８が形成されている。  更に、開口部８６の周縁部には、蓋部材８３の側面部の厚さ寸法にほぼ等しい高さまで内側方向に延出されたリブ８９が周設されている。
【００７２】
次に、蓋部材８３は、前面部（図８中、左側面部）が開放された略箱状体で、前面部の大きさは開口部８６の大きさにほぼ等しく形成されている。また、蓋部材８３の側面部は、前端部から、上記リブ８９の後面から係止突起８７Ａまでの長さ寸法にほぼ等しい長さだけ外側方向に突出して形成されている。
また、この蓋部材８３の下側の側面の上記切欠部８８に対向する位置には、この切欠部８８の幅寸法にほぼ等しい幅で下側に垂直に延出された引掛り部９０が形成されている。
さらに、蓋部材８３の背面部内側の上下端縁部近傍には、各々２箇所ずつネジ孔が形成された所定高さの保護カバー取付ポスト８３Ａが垂設されている（図８中では２箇所が示されている。）。
【００７３】
一方、保護カバー８５は、後面部（図８中、右側面部）が開放された略箱状体で、その上下側面部には、所定長さ外側方向に突出するフランジ部８５Ａ、８５Ｂが形成されている。また、この各フランジ部８５Ａ、８５Ｂの、各保護カバー取付ポスト８３Ａに対向する位置には各々ビス孔が形成されている。また、保護カバー８５の前面部の内側面（図８中、右側面）には、その４箇所にネジ孔が形成される各基板取付ポスト９１（図８中では２箇所が示されている。）が垂設されている。また、この保護カバー８５の側面部は、該保護カバー８５の各フランジ部８５Ａ、８５Ｂがビス９２で各保護カバー取付ポスト８３Ａにネジ止めされた場合には、この側面部の開放側端面が蓋部材８３の背面部の内側面に沿って当接するように形成されている。
【００７４】
そして、音楽制御基板８４のセンターカバー８２への取り付けは、先ず、この音楽制御基板８４をビス９３により保護カバー８５の各基板取付ポスト９１にネジ止めする。続いて、この保護カバー８５をビス９２により蓋部材８３の各保護カバー取付ポスト８３Ａにネジ止めにより固定する。そして、この蓋部材８３の下側側面部に形成される引掛り部９０を、センターカバー８２の後方から、開口部８６の下側端縁部に形成される切欠部８８に嵌挿しつつ、蓋部材８３の上側側面の前端縁部を弾性係止片８７に当接させて前側方向に押し込む。これにより、蓋部材８３の上側側面の前端縁部が開口部８６の周縁部に形成されるリブ８９に当接すると共に、上側側面の外側に突出している部分の後面部が係止突起８７Ａに弾性的に係合されて、この蓋部材８３はセンターカバー８２の開口部８６を後方側から覆うように取り付けられる。
尚、センターカバー８２の弾性係止片８７を上に持ち上げて、係止突起８７Ａと蓋部材８３の上側側面との係合を解除し、この蓋部材８３を斜め上後ろ方向に持ち上げることにより、センターカバー８２から蓋部材８３を取り外すことができる。
【００７５】
ここで、スピーカ２２及び音楽制御基板８４のアンプ回路等が音楽再生手段を構成する。また、センターカバー８２及び蓋部材８３がカバー体として機能する。
【００７６】
以上詳細に説明した通り第４実施形態に係るパチンコ機８１では、音楽制御基板８４は、保護カバー８５の内側に取り付けられた後、この保護カバー８５は蓋部材８３の背面部の内側に取り付けられる。そして、この蓋部材８３は、弾性係止片８７によりセンターカバー８２の開口部８６を後ろ側から覆うように着脱可能に取り付けられる。
【００７７】
これにより、ゲーム音楽や音声の再生に係る制御回路部分を主基板１６から分離し、この制御回路部分が設けられる音楽制御基板８４を、センターカバー８２の開口部８６を覆う蓋部材８３の背面部の内側面に取り付けることにより、主基板１６の小型化を図ることが可能となると共に、パチンコ機８１の裏側方向の寸法を増やすことなく該音楽制御基板８４を取り付けることが可能となる。また、ゲーム音楽等の再生に係る制御回路部分を主基板１６から分離して音楽制御基板８４として別個独立に設けることにより、主基板１６及び音楽制御基板８４の保守・点検や補修を容易に行うことが可能となる。
また、この音楽制御基板８４の取り付け箇所は、蓋部材８３の背面部分の内側面であるため、この蓋部材８３の内側に前記音楽制御基板８４を収納するスペースを容易に確保することが可能となると共に、この蓋部材８３の背面部分を介して主基板１６との接続ケーブルを容易に接続することが可能となり、組立作業性の向上を図ることが可能となる。また、センターカバー８２の開口部８６に後方から着脱可能に取り付けられる蓋部材８３をセンターカバー８２から取り外して、音楽制御基板８４の保守・点検を行えるため、音楽制御基板８４の保守・点検や補修を容易に行うことが可能となり、点検・補修の作業性の向上を図ることが可能となる。
また、音楽制御基板８４は、保護カバー８５で覆われているため、落下したパチンコ球等が音楽制御基板８４に直接当たるのを防止することが可能になると共に、センターカバー８２内の配線等から保護することが可能となる。
更に、センターカバー８２、蓋部材８３及び保護カバー８５が透明な樹脂製であるため、蓋部材８３内に配置されるこの音楽制御基板８１の外観検査を外側から容易に行うことができる。
【００７８】
次に、第５実施形態に係るパチンコ機について図９及び図１０に基づいて説明する。先ず、第５実施形態に係るパチンコ機の全体構成について図９に基づいて説明する。図９は第５実施形態に係るパチンコ機の全体を示した背面図である。  第５実施形態に係るパチンコ機は、第１実施形態に係るパチンコ機１とほぼ同じ構成である。但し、図９に示すように、第１実施形態に係る音楽制御基板２１は、ポリカーボネート樹脂等の合成樹脂により形成された透明な保護ケース９７に収納されており、この保護ケース９７は基板ボックス１６Ａの背面に配置され、センターカバー１７にネジ止めにより固定されている。
【００７９】
続いて、音楽制御基板２１の保護ケース９７内への取り付けについて図１０に基づいて説明する。図１０は第５実施形態に係るパチンコ機の音楽制御基板２１の保護ケース９７内への取り付け状態を示す要部の横断面図である。
図１０に示すように、保護ケース９７は、カバー９８とケース本体９９とから構成されており、この保護ケース９７の前後方向（図１０中、上下方向）の高さ寸法は、基板ボックス１６Ａの背面からセンターカバー１７の最高端部までの高さ寸法以下に形成されている。
このケース本体９９は、後面部（図１０中、上面部）が開放された略箱状体で、その前面部（図１０中、下面部）の右端部には、その上下２箇所に取付片１００が設けられている（図１０では、１箇所が示されている。）。この取付片１００は、所定長さ外側（図１０中、右側）に延出された後、基板ボックス１６Ａの背面からセンターカバー１７の取付面１０１まで前側（図１０中、下側）に垂直に延出され、更に垂直に外側（図１０中、右側）に延出され、その端縁部にはビス孔が形成されている。また、センターカバー１７の取付面１０１の各ビス孔に対向する位置には各々ネジ孔が形成されている。
また、ケース本体３９の右側の側面には、上下２箇所に各々係止孔１０２が設けられている（図１０中では１箇所が示されている。）。この各係止孔１０２には、後述するようにカバー９８の右側側面の内側端縁部に設けられる各係止突起１０３が弾性的に係合されるものである。
更に、ケース本体９９の前面部の内側の左方には、上下２箇所に各々ネジ孔が形成されたカバー取付ポスト１０４がケース本体９９の後端縁部の高さまで立設されている（図１０中では１箇所が示されている。）。
【００８０】
一方、カバー９８は、前面部（図１０中、下面）が開放された略箱状体で、後面部の内側面（図１０中、上面）には、その４箇所にネジ孔が形成される各基板取付ポスト１０５（図１０中では２箇所が示されている。）が垂設されている。  また、カバー９８の右側側面の内側端縁部には、ケース本体９９の各係止孔１０２に対向する位置に所定長さの各係止片１０６が設けられ、この各係止片１０６の端縁部には各係止突起１０３が外側に突出して形成されている。
更に、カバー９８の後面部の左方の各カバー取付ポスト１０４に対向する位置には、カバー９８の前端部の高さまで突出して、カバー９８の後面側からビスが挿入される凹部１０７が設けられている（図１０中では１箇所が示されている。）。また、この凹部１０７の底面には、ビスが嵌挿される貫通孔が形成されている。
【００８１】
そして、音楽制御基板２１の保護ケース９７内への取り付けは、先ず、この音楽制御基板２１を各ビス１０８によりカバー９８の各基板取付ポスト１０５にネジ止めする。続いて、カバー９８の右側側面の前端縁部をケース本体９９の右側側面の後端縁部に当接させつつ、カバー９８の各係止片１０６の係止突起１０３をケース本体９９の各係止孔１０２に係合させる。そして、カバー９８の各凹部１０７をカバー本体９９の各カバー取付ポスト１０４に対向させて、各ビス１０９によりネジ止めする。これにより、音楽制御基板２１は保護ケース９７内に固定される。
次に、この保護ケース９７の前面部（図１０中、下面）を基板ボックス１６Ａの背面に当接させつつ、各取付片１００のビス孔をセンターカバー１７の取付面１０１に設けられるネジ孔に対向させて、各ビス１１０によりネジ止めする。これにより、保護ケース９７が基板ボックス１６Ａの背面に固定されると共に、センターカバー１７の最後端部より前側に固定される。
【００８２】
ここで、センターカバー１７がカバー体として機能する。基板ボックス１６Ａが基板ケースを構成する。
【００８３】
以上詳細に説明した通り第５実施形態に係るパチンコ機１では、音楽制御基板２１は、保護ケース９７の内側に取り付けられた後、センターカバー１７の左側に配置される基板ボックス１６Ａの背面に当接してセンターカバー１７にネジ止めにより固定される。また、この保護ケース９７の後端部は、センターカバー１７の最後端部よりも前側に位置している。
【００８４】
従って、ゲーム音楽や音声の再生に係る制御回路部分を主基板１６から分離し、この制御回路部分が設けられる音楽制御基板２１を保護ケース９７に収納してパチンコ機１の裏側に取り付けることより、主基板１６の小型化を図ることが可能となると共に、パチンコ機１の裏側方向の寸法を増やすことなく該音楽制御基板２１を取り付けることが可能となる。また、ゲーム音楽等の再生に係る制御回路部分を主基板１６から分離して音楽制御基板２１として別個独立に設けることにより、主基板１６及び音楽制御基板２１の保守・点検や補修を容易に行うことが可能となる。
また、この音楽制御基板２１が収納される保護ケース９７の取り付け箇所は、基板ボックス１６Ａの背面で、且つ、センターカバー１７の最後端部より前側であるため、前記保護ケース９７を取り付けるスペースを容易に確保することが可能となると共に、この保護ケース９７の背面部分を介して主基板１６との接続ケーブルを容易に接続することが可能となり、組立作業性の向上を図ることが可能となる。
また、音楽制御基板２１は、保護ケース９７内に収納されているため、落下したパチンコ球等が音楽制御基板２１に直接当たるのを防止することが可能になると共に、搬送作業や取り付け作業等の作業性向上を図ることが可能となる。
更に、保護ケース９７が透明な樹脂製であるため、保護ケース９７内の音楽制御基板２１の外観検査を外側から容易に行うことができる。
【００８５】
尚、本発明は上記第１乃至第５実施形態に限定されることはなく、本発明の要旨を逸脱しない範囲内で種々の改良、変形が可能であることは勿論であり、以下のようにしてもよい。
（ａ）前記第５実施形態では、保護ケース９７を基板ボックス１６Ａの背面に配置したが、図１１に示すように、センターカバー１７の下側に配置して、このセンターカバー１７にネジ止めして設けるようにしてもよい。但し、保護ケース９７の後端部は、センターカバー１７の最後端部よりも前側に位置している。
（ｂ）前記第５実施形態では、保護ケース９７を基板ボックス１６Ａの背面に配置したが、図１２に示すように、センターカバー１７の左側で賞球ケース１２の背面に配置して、このセンターカバー１７にネジ止めして設けるようにしてもよい。但し、保護ケース９７の後端部は、センターカバー１７の最後端部よりも前側に位置している。
（ｃ）前記第２実施形態、第３実施形態及び第５実施形態では、各保護ケース３６、５５、９７は、ポリカーボネート樹脂等の透明な合成樹脂により形成されているが、アルミ板や導電性プラスチック等により形成してもよい。これにより、各音楽制御基板２１、５２を電気的にシールドすることが可能となり、耐ノイズ性が向上し、誤動作の防止を図ることが可能となる。
（ｄ）前記第１及び第４実施形態では、各センターカバー１７、８２、蓋部材８３、各保護カバー２５、８５は透明な樹脂により形成しているが、この各センターカバー１７、８２、蓋部材８３、各保護カバー２５、８５を導電性プラスチック等により形成してもよい。これにより、各音楽制御基板２１、８４を電気的にシールドすることが可能となり、耐ノイズ性が向上し、誤動作の防止を図ることが可能となる。
【００８６】
【発明の効果】
以上詳細に説明した通り請求項１に係るパチンコ機では、ゲーム音楽を再生する音楽再生手段の制御に係る音楽制御基板が、パチンコ機の動作状態を制御する主基板から分離して別個に設けられる。また、後方に膨出した略箱状であって遊技盤の裏側に配設される電気的機器の後部を覆うカバー体の本体背面に開口部が形成され、この開口部を後側から覆うように蓋部材が着脱可能に取り付けられている。また、この蓋部材の内側には、保護カバーが固定されると共に、この保護カバーの内側には、音楽制御基板が固定されているため、音楽制御基板は、蓋部材と保護カバーとで挟まれて配置される。そして、蓋部材を本体から取り外すことで、音楽制御基板は、該蓋部材及び保護カバーと共に本体から取り外される。
これにより、ゲーム音楽や音声の再生に係る音楽制御基板を主基板から分離し、別個独立に設けてパチンコ機の裏側に配設されるカバー体の本体背面に形成された開口部を覆う蓋部材と保護カバーの内側に配設することにより、主基板の小型化を図ることが可能となると共に、パチンコ機の裏側方向の寸法を増やすことなく該音楽制御基板を取り付けることが可能なパチンコ機を提供することができる。また、ゲーム音楽の再生に係る音楽制御基板を主基板から分離して別個独立に設けることにより、主基板及び音楽制御基板の保守・点検や補修を容易に行うことが可能なパチンコ機を提供することができる。また、該カバー体の内側に前記音楽制御基板を収納するスペースを容易に確保することが可能となると共に、この蓋部材を介して主基板との接続ケーブルを容易に接続することが可能となり、組立作業性の向上を図ることが可能なパチンコ機を提供することができる。また、この蓋部材をカバー体の本体から取り外して、前記音楽制御基板の保守・点検を行えるため、音楽制御基板の保守・点検や補修を容易に行うことが可能となり、点検・補修の作業性の向上を図ることが可能なパチンコ機を提供することができる。また、音楽制御基板は、該カバー体の本体背面に形成された開口部を覆う蓋部材と保護カバーの内側に取り付けられるため、パチンコ機の裏側方向の寸法を増やすことなく音楽制御基板を収納するスペースを容易に確保することが可能となると共に、パチンコ機裏側の上方に位置する賞球タンクからこぼれたパチンコ球が落下しても、このカバー体により音楽制御基板に直接当たるのを防ぐことが可能なパチンコ機を提供することができる。
【００８７】
【００８８】
【００８９】
【００９０】
【００９１】
【００９２】
【００９３】
【００９４】
【００９５】
【００９６】
【００９７】
【００９８】
【００９９】
【図面の簡単な説明】
【図１】    第１実施形態に係るパチンコ機の全体を示した背面図である。
【図２】  第１実施形態に係るパチンコ機の音楽制御基板のセンターカバー内への取り付け状態を示す要部の側断面図である。
【図３】  第２実施形態に係るパチンコ機の音楽制御基板のセンターカバー内への取り付け状態を示す要部の側断面図である。
【図４】  第３実施形態に係るパチンコ機の全体を示した背面図である。
【図５】  第３実施形態に係るパチンコ機の入賞球集合部材及び音楽制御基板が収納される保護ケース等が取り付けられた遊技盤の背面図である。
【図６】  第３実施形態に係るパチンコ機の音楽制御基板が収納される保護ケースを含む要部側断面図である。
【図７】  第４実施形態に係るパチンコ機の全体を示した背面図である。
【図８】  第４実施形態に係るパチンコ機の音楽制御基板のセンターカバー内への取り付け状態を示す要部の側断面図である。
【図９】  第５実施形態に係るパチンコ機の全体を示した背面図である。
【図１０】  第５実施形態に係るパチンコ機の音楽制御基板の保護ケース内への取り付け状態を示す要部の横断面図である。
【図１１】  他の実施形態に係るパチンコ機の全体を示した背面図である。
【図１２】  更なる他の実施形態に係るパチンコ機の全体を示した背面図である。
【図１３】  従来のパチンコ機の全体構成の一例を示す背面図である。
【符号の説明】
１、５０、８１、１０１・・・パチンコ機
１６、１１６・・・主基板
１６Ａ・・・基板ボックス
１７、３５、５１、８２、１１７・・・センターカバー
２１、５２、８４・・・音楽制御基板
２５、８５・・・保護カバー
３６、５５、９７・・・保護ケース
【図１】
0004032330.tif 000002
【図２】
0004032330.tif 000003
【図３】
0004032330.tif 000004
【図４】
0004032330.tif 000005
【図５】
0004032330.tif 000006
【図６】
0004032330.tif 000007
【図７】
0004032330.tif 000008
【図８】
0004032330.tif 000009
【図９】
0004032330.tif 000010
【図１０】
0004032330.tif 000011
【図１１】
0004032330.tif 000012
【図１２】
0004032330.tif 000013
【図１３】
0004032330.tif 000014